(57)【要約】【課題】第１走査ユニット及び第２走査ユニットを内蔵する枠体を薄型化できる画像読取装置、及びこれを備えた画像形成装置を提供する。【解決手段】画像読取装置１００の第１走査ユニット２３は、画像読取時に副走査方向Ｘに沿う方向へ移動しつつ、原稿台２１上に載置された原稿に光を照射し、反射光を副走査方向Ｘに沿う方向へ偏向する。第２走査ユニット２４は、第１走査ユニット２３から至る光を所定方向へ偏向する。偏向レンズ２５は、第２走査ユニット２４から至る光を原稿台２１から離間する方向へ偏向する。枠体２９は、第１走査ユニット２３、第２走査ユニット２４、及び偏向レンズ２５を内蔵する。結像レンズ２７及びＣＣＤ２８は、枠体２９の外部に配置される。【選択図】図１
2010068360.tif 000002
【特許請求の範囲】
【請求項１】
画像読取時に所定の副走査方向に沿う方向へ移動しつつ、原稿台上に載置された原稿に光を照射し、原稿からの反射光を前記副走査方向に沿う方向へ偏向する第１走査ユニットと、
前記第１走査ユニットから至る光を、前記原稿台から離間する方向へ偏向した後に前記副走査方向に沿う方向であって前記第１走査ユニット側へ偏向する第２走査ユニットと、
前記第２走査ユニットから至る光を前記原稿台から離間する方向へ偏向する偏向部材と、
前記原稿台を支持するとともに、前記第１走査ユニット、前記第２走査ユニット、及び前記偏向部材を内蔵する枠体と、
前記枠体の外部に配置され、前記偏向部材で偏向された光を結像させる結像部材と、
前記枠体の外部に配置され、前記結像部材で結像された光を画像情報として読み取る撮像部材と、を備える画像読取装置。
【請求項２】
請求項１に記載の画像読取装置と、
記録媒体に画像情報に基づく画像を形成する画像形成ユニットと、を備える画像形成装置。
【請求項３】
前記枠体は、前記画像形成ユニットの上方に配置され、
前記枠体と前記画像形成ユニットとの間であって前記画像形成ユニットの水平方向の領域の一部に配置され、画像形成済みの記録媒体が排出される排出部と、
前記枠体と前記画像形成ユニットとの間であって前記画像形成ユニットの水平方向の領域のうち前記排出部を除く領域に配置され、下端部を前記画像形成ユニットに支持されるとともに上端部で前記枠体を支持する支持部をさらに備え、
前記結像部材及び前記撮像部材は、前記支持部内に配置される請求項２に記載の画像形成装置。
【請求項４】
前記偏向部材から前記結像部材へ至る光の光軸と、前記支持部の前記画像形成ユニットと前記枠体とを結ぶ方向とが、平行である請求項３に記載の画像形成装置。
【請求項５】
前記結像部材及び前記撮像部材は、前記第２走査ユニットから前記偏向部材へ至る光の光軸と、前記偏向部材から前記結像部材へ至る光の光軸とが直交するように配置される請求項３に記載の画像形成装置。
【請求項６】
前記支持部は、前記結像部材及び前記撮像部材を外部に露出させる開放位置と、前記結像部材及び前記撮像部材を外部に露出させない閉鎖位置と、に変位自在な開閉部材を有する請求項３から５のいずれかに記載の画像形成装置。
【発明の詳細な説明】
【技術分野】
【０００１】
この発明は、原稿台上に載置された原稿の画像を読み取る画像読取装置、及びこれを備えた画像形成装置に関する。
【背景技術】
【０００２】
複写機やファクシミリ等に搭載される画像読取装置の中には、原稿台上に載置された原稿に光を照射し、原稿からの反射光を画像情報として読み取るものがある。このような画像読取装置は、原稿台の他に、第１走査ユニット、第２走査ユニット、結像部材、及び撮像部材を備える。
【０００３】
第１走査ユニットは、原稿に光を照射する光源、及び原稿からの反射光を副走査方向に沿う方向へ偏向する第１ミラーを搭載し、画像読取時に所定の副走査方向に沿って移動する。第２走査ユニットは、第１走査ユニットからの光を原稿台から離間する方向へ偏向する第２ミラー、及び第２ミラーからの光を副走査方向に沿う方向であって第１走査ユニット側へ偏向する第３ミラーを搭載し、画像読取時に所定の副走査方向に沿って移動する。第２走査ユニットからの光は、結像部材で撮像部材に結像される。撮像部材は、結像された光を画像情報として読み取る。
【０００４】
従来の画像読取装置では、第１走査ユニット及び第２走査ユニットは、枠体内で副走査方向に沿って移動自在に配置され、結像部材及び撮像部材は、枠体内の所定位置に固定される。結像部材及び撮像部材は、結像撮像ユニットとして配置されることが多い。画像読取時に、第１走査ユニットは、結像撮像ユニットの上を副走査方向に沿って移動する（例えば、特許文献１参照。）。
【特許文献１】特開２００５−１２１７５０公報
【発明の開示】
【発明が解決しようとする課題】
【０００５】
このため、枠体の高さは、第１走査ユニットの高さと、結像撮像ユニットの高さとを加えた高さを少なくとも必要とする。したがって、第１走査ユニット及び第２走査ユニットを内蔵する枠体の薄型化が困難であった。
【０００６】
この発明の目的は、第１走査ユニット及び第２走査ユニットを内蔵する枠体を薄型化できる画像読取装置、及びこれを備えた画像形成装置を提供することにある。
【課題を解決するための手段】
【０００７】
この発明の画像読取装置は、第１走査ユニット、第２走査ユニット、偏向部材、枠体、結像部材、及び撮像部材を備える。第１走査ユニットは、画像読取時に所定の副走査方向に沿う方向へ移動しつつ、原稿台上に載置された原稿に光を照射し、原稿からの反射光を副走査方向に沿う方向へ偏向する。第２走査ユニットは、第１走査ユニットから至る光を、原稿台から離間する方向へ偏向した後に副走査方向に沿う方向であって第１走査ユニット側へ偏向する。偏向部材は、第２走査ユニットから至る光を原稿台から離間する方向へ偏向する。枠体は、原稿台を支持するとともに、第１走査ユニット、第２走査ユニット、及び偏向部材を内蔵する。結像部材は、枠体の外部に配置され、偏向部材で偏向された光を結像させる。撮像部材は、枠体の外部に配置され、結像部材で結像された光を画像情報として読み取る。
【０００８】
この構成では、原稿からの反射光が、第１走査ユニット及び第２走査ユニットを経て、偏向部材で原稿台から離間する方向へ偏向され、枠体の外部に配置された結像部材によって撮像部材に結像する。結像部材及び撮像部材が、第１走査ユニット及び第２走査ユニットを内蔵する枠体の外部に配置されるので、枠体の高さは、結像部材及び撮像部材の高さ分を必要としない。したがって、第１走査ユニット及び第２走査ユニットを内蔵する枠体を薄型化することができる。
【０００９】
この発明の画像形成装置は、上述の画像読取装置と、記録媒体に画像情報に基づく画像を形成する画像形成ユニットと、を備える。画像読取装置の枠体を薄型化できるので、画像形成装置を小型化することができる。
【００１０】
上述の画像形成装置において、枠体が画像形成ユニットの上方に配置され、次のような排出部及び支持部をさらに備え、結像部材及び撮像部材が支持部内に配置されるように構成することができる。排出部は、枠体と画像形成ユニットとの間であって画像形成ユニットの水平方向の領域の一部に配置され、画像形成済みの記録媒体が排出される。支持部は、枠体と画像形成ユニットとの間であって画像形成ユニットの水平方向の領域のうち排出部を除く領域に配置され、下端部を画像形成ユニットに支持されるとともに上端部で枠体を支持するように構成することができる。結像部材及び撮像部材が支持部内に配置されるので、画像読取装置の枠体を薄型化できるとともに、結像部材及び撮像部材の設置箇所を新たに設ける必要がないので、画像形成装置を小型化することができる。
【００１１】
また、偏向部材から結像部材へ至る光の光軸と、支持部の画像形成ユニットと枠体とを結ぶ方向とが、平行であるように構成することもできる。偏向部材から結像部材へ至る光の光軸と、支持部の画像形成ユニットと枠体とを結ぶ方向即ち縦方向とが、平行でなければ、偏向部材から結像部材へ至る光を遮断しないようにするために支持部の縦方向の寸法が大きいほど支持部の縦方向に直交する横方向の寸法を大きくする必要があるのに対して、平行であれば、支持部の横方向の寸法を小さくすることができる。さらに、結像部材及び撮像部材は、倍率調整や解像度調整のために、光軸に沿って移動自在にされるが、偏向部材から結像部材へ至る光の光軸と支持部の縦方向とが平行であれば、結像部材及び撮像部材を、支持部の縦方向に沿って移動自在にすればいいので、この意味でも支持部の横方向の寸法を小さくできる。
【００１２】
さらに、結像部材及び撮像部材を、第２走査ユニットから偏向部材へ至る光の光軸と、偏向部材から結像部材へ至る光の光軸とが直交するように配置することもできる。支持部の画像形成ユニットと枠体とを結ぶ方向即ち縦方向は、省スペース化及び耐久性向上の観点から副走査方向と直交する方向であることが好ましい。第２走査ユニットから偏向部材へ至る光の光軸は副走査方向に沿う方向であるので、第２走査ユニットから偏向部材へ至る光の光軸と偏向部材から結像部材へ至る光の光軸とが直交する場合、偏向部材から結像部材へ至る光の光軸と支持部の縦方向とが、平行になる。したがって、支持部の縦方向に直交する横方向の寸法を小さくすることができる。
【００１３】
さらに、支持部が、結像部材及び撮像部材を外部に露出させる開放位置と、結像部材及び撮像部材を外部に露出させない閉鎖位置と、に変位自在な開閉部材を有するように構成することもできる。開閉部材を開放位置に配置することで、結像部材及び撮像部材を外部に露出させることができ、結像部材及び撮像部材の調整や交換を容易に行うことができる。また、開閉部材を閉鎖位置に配置することで、結像部材及び撮像部材への余計な光の入射及び塵埃の付着を抑制することができる。
【発明の効果】
【００１４】
この発明によれば、第１走査ユニット及び第２走査ユニットを内蔵する枠体を薄型化することができる。
【発明を実施するための最良の形態】
【００１５】
以下に、この発明を実施するための最良の形態について、図面に基づいて説明する。図１は、この発明の実施形態に係る画像形成装置１０の正面断面図である。図１では、切断面の断面表記を省略している。
【００１６】
画像形成装置１０は、画像読取装置１００、支持部２００、画像形成ユニット３００、及び給紙ユニット４００を備えている。画像読取装置１００、支持部２００、画像形成ユニット３００、及び給紙ユニット４００は、上からこの順に配置されている。
【００１７】
画像読取装置１００は、画像形成装置１０の上部に配置され、自動原稿搬送装置（ＡＤＦ:AutomaticDocument Feeder）９０、及び画像読取部２０を備えている。画像読取部２０は、枠体２９を備えている。枠体２９は、画像形成ユニット３００の上方に配置されている。
【００１８】
枠体２９と画像形成ユニット３００との間に、支持部２００及び排紙トレイ（排出部）６７が配置されている。排紙トレイ６７は、画像形成ユニット３００の水平方向の領域の一部に配置されている。排紙トレイ６７には、記録媒体の一例である用紙であって画像形成済みの用紙が、排出され、積層される。
【００１９】
支持部２００は、画像形成ユニット３００の水平方向の領域のうち排紙トレイ６７を除く領域に配置され、下端部を画像形成ユニット３００に支持されるとともに上端部で枠体２９を支持している。支持部２００は、画像形成済みの用紙を排紙トレイ６７へ排出する排出口１４を、排紙トレイ６７側の側面に有している。このように、画像形成装置１０は、所謂胴内排出型の画像形成装置である。
【００２０】
画像読取部２０は、枠体２９の他に、第１原稿台２１、第２原稿台２２、第１走査ユニット２３、第２走査ユニット２４、偏向レンズ（偏向部材）２５、及び結像撮像ユニット２６を備えている。
【００２１】
ＡＤＦ９０は、原稿積載トレイ９１から第２原稿台２２を経由して原稿排出トレイ９２へ至る原稿搬送路９３を有している。原稿搬送路９３には、原稿が１枚ずつ搬送される。ＡＤＦ９０は、第１原稿台２１の上面を開閉自在に被覆するように、背面側を支点に回動自在にされている。前面側が上方に移動するようにＡＤＦ９０を回動させて第１原稿台２１の上面を露出させることにより、手動操作によって第１原稿台２１に原稿を載置することができる。
【００２２】
第１原稿台２１及び第２原稿台２２は、ともに硬質ガラス板によって構成されている。
【００２３】
第１原稿台２１、及び第２原稿台２２は、枠体２９の上面に支持されている。第１走査ユニット２３、第２走査ユニット２４、及び偏向レンズ２５は、枠体２９に内蔵されている。結像撮像ユニット２６は、結像レンズ２７、及び撮像部材（ＣＣＤ:Charge Coupled Device）２８を有しており、枠体２９の外部であって支持部２００内に配置されている。
【００２４】
第１走査ユニット２３及び第２走査ユニット２４は、第１原稿台２１及び第２原稿台２２の下方において、第１原稿台２１に沿った所定の副走査方向Ｘに移動自在にされている。第２走査ユニット２４の移動速度は、第１走査ユニット２３の移動速度の１／２にされている。第１走査ユニット２３は、光源２３Ａ及び第１ミラー２３Ｂを搭載している。第２走査ユニット２４は、第２ミラー２４Ａ及び第３ミラー２４Ｂを搭載している。
【００２５】
ＡＤＦ９０によって搬送される原稿の画像を読み取る際に、第１走査ユニット２３は、第２原稿台２２の下方に停止している。光源２３Ａは、第２原稿台２２上を通過する原稿の画像面に向けて光を照射する。第１ミラー２３Ｂは、原稿の画像面における反射光を、副走査方向Ｘに沿う方向であって第２走査ユニット２４へ向けて偏向する。
【００２６】
第１原稿台２１に載置された原稿の画像読取時には、第１走査ユニット２３及び第２走査ユニット２４は、第１原稿台２１の下方を副走査方向Ｘに沿う方向へ移動しつつ、次のように動作する。即ち、光源２３Ａは、第１原稿台２１上に載置された原稿の画像面へ向けて光を照射する。第１ミラー２３Ｂは、原稿の画像面における反射光を、副走査方向Ｘに沿う方向であって第２走査ユニット２４へ向けて偏向する。第２ミラー２４Ａは、第１走査ユニット２３からの光を、第１原稿台２１から離間する方向へ偏向する。第３ミラー２４Ｂは、第２ミラー２４Ａによって偏向された光を、副走査方向Ｘに沿う方向であって第１走査ユニット２３側へ偏向する。
【００２７】
偏向レンズ２５は、第２走査ユニット２４からの光を、第１原稿台２１から離間する方向へ偏向する。
【００２８】
結像レンズ２７は、偏向レンズ２５によって偏向された光を、ＣＣＤ２８に結像させる。
【００２９】
ＡＤＦ９０を用いるか否かに拘らず、原稿の画像面における反射光の光路長は、一定にされる。
【００３０】
ＣＣＤ２８は、結像レンズ２５によって結像された光を画像データ（画像情報）として読み取る。即ち、ＣＣＤ２８は、結像レンズ２５によって結像された光を光電変換することで画像データを取得する。この画像データは、制御部５００へ入力される。制御部５００は、必要に応じて画像データを画像形成ユニット３００へ出力する。
【００３１】
画像形成ユニット３００は、露光ユニット１、４個の現像装置２、４個の感光体ドラム３、４個のクリーニングユニット４、４個の帯電装置５、中間転写ベルト６１、４個の一次転写ローラ６４、二次転写ローラ６６、定着装置７、及び用紙搬送路６８，６９を備えている。画像形成ユニット３００の上であって支持部２００の横には、排紙トレイ６７が配置されている。
【００３２】
画像形成ユニット３００は、ブラック、並びに、カラー画像を色分解して得られる減法混色の３原色であるシアン、マゼンタ及びイエローの４色の各色相に対応した画像データを用いて、画像形成部ＰＡ，ＰＢ、ＰＣ，ＰＤにおいて画像形成を行う。画像形成部ＰＡ〜ＰＤは、中間転写ベルト６１の移動方向に沿って一列に配置されている。画像形成部ＰＡ〜ＰＤは、互いに同様に構成されている。
【００３３】
ブラックの画像形成部ＰＡは、現像装置２、感光体ドラム３、クリーニングユニット４、帯電装置５、及び一次転写ローラ６４を備えている。
【００３４】
帯電装置５は、感光体ドラム３の表面を所定の電位に均一に帯電させる。
【００３５】
露光ユニット１は、図示しない半導体レーザ、ポリゴンミラー、第１ｆθレンズ及び第２ｆθレンズを備えており、ブラック、シアン、マゼンタ及びイエローの各色相の画像データによって変調されたレーザビームのそれぞれを、画像形成部ＰＡ〜ＰＤのそれぞれの感光体ドラム３に照射する。４個の感光体ドラム３のそれぞれには、ブラック、シアン、マゼンタ及びイエローの各色相の画像データによる静電潜像が形成される。
【００３６】
現像装置２は、静電潜像が形成された感光体ドラム３の表面に、画像形成部ＰＡ〜ＰＤのそれぞれの色相のトナーを供給し、静電潜像を現像剤像に顕像化する。
【００３７】
クリーニングユニット４は、現像及び画像転写の後における感光体ドラム３の表面に残留したトナーを回収する。
【００３８】
中間転写ベルト６１は、駆動ローラ６２と従動ローラ６３との間に張架されてループ状の移動経路を形成している。中間転写ベルト６１の外周面は、４個の感光体ドラム３に順に対向する。中間転写ベルト６１を挟んで各感光体ドラム３に対向する位置のそれぞれに、一次転写ローラ６４が配置されている。中間転写ベルト６１が感光体ドラム３に対向する位置のそれぞれが一次転写位置である。
【００３９】
一次転写ローラ６４には、感光体ドラム３の表面に担持された現像剤像を中間転写ベルト６１上に転写するために、トナーの帯電極性と逆極性の一次転写バイアスが定電圧制御によって印加される。これによって、感光体ドラム３のそれぞれに形成された各色相の現像剤像は中間転写ベルト６１の外周面に順次重ねて転写され、中間転写ベルト６１の外周面にフルカラーの現像剤像が形成される。
【００４０】
但し、イエロー、マゼンタ、シアン及びブラックの色相の一部のみの画像データが入力された場合は、４個の感光体ドラム３のうち、入力された画像データの色相に対応する一部のみにおいて静電潜像及び現像剤像の形成が行われる。例えば、モノクロ印刷モード時には、ブラックの色相に対応した画像形成部ＰＡの感光体ドラム３のみにおいて静電潜像の形成及び現像剤像の形成が行われ、中間転写ベルト６１の外周面にはブラックの現像剤像のみが転写される。
【００４１】
画像形成部ＰＡ〜ＰＤの全てにおいて画像形成が行われるフルカラー画像形成時には、４個の一次転写ローラ６４が中間転写ベルト６１を全ての感光体ドラム３に圧接させる。一方、画像形成部ＰＡのみにおいて画像形成が行われるモノクロ画像形成時には、画像形成部ＰＡの一次転写ローラ６４のみが中間転写ベルト６１を感光体ドラム３に圧接させる。
【００４２】
各一次転写ローラ６４は、直径８ｍｍ〜１０ｍｍの金属（例えばステンレス）を素材とする軸の表面を導電性の弾性材によって被覆して構成されており、導電性の弾性材によって中間転写ベルト６１に均一に高電圧を印加する。弾性材として、ＥＰＤＭ（エチレン・プロピレン共重合ゴム）、又は発泡ウレタン等が用いられる。
【００４３】
各一次転写位置において中間転写ベルト６１の外周面に転写された現像剤像は、中間転写ベルト６１の回転によって、中間転写ベルト６１と二次転写ローラ６６との対向位置である二次転写位置へ搬送される。二次転写ローラ６６は、画像形成時に、中間転写ベルト６１の外周面のうち内周面が駆動ローラ６２の周面に接触する部分に、所定のニップ圧で圧接している。
【００４４】
用紙搬送路６８は、画像形成ユニット３００から支持部２００へ亘って設けられ、支持部２００の排紙トレイ６７側の側面に開口している。
【００４５】
用紙搬送路６８には、複数の搬送ローラ１２Ａ，１２Ｂが配置されている。用紙搬送路６８は、給紙ユニット４００の給紙トレイ８１に収容されている用紙を、二次転写位置及び定着装置７を経由して排紙トレイ６７へ送るために、略垂直方向に配置されている。この実施形態では、定着装置７は、支持部２００内に配置されている。
【００４６】
用紙搬送路６９には、複数の搬送ローラ１２Ｃ，１２Ｄが配置されている。用紙搬送路６９は、用紙の搬送方向において、定着装置７の下流側から二次転写位置の上流側まで配置されている。用紙搬送路６９には、定着装置７を通過した後で排紙トレイ６７へ排出される用紙が、それまでの後端を前にして搬送される。これによって、用紙は表裏を反転した状態で、二次転写位置へ再送される。
【００４７】
給紙ユニット４００は、画像形成ユニット３００の下に配置され、給紙カセット８１の他に、手差しトレイ８２を備えている。給紙カセット８１及び手差しトレイ８２のそれぞれには、用紙が収容される。
【００４８】
給紙ユニット４００は、給紙カセット８１又は手差しトレイ８２の何れかから１枚ずつ用紙を給紙する。給紙カセット８１に収容された用紙は、ピックアップローラ１１Ａによって給紙され、用紙搬送路６８を経由して二次転写位置へ搬送される。手差しトレイ８２に収容された用紙は、ピックアップローラ１１Ｂによって給紙され、用紙搬送路６８を経由して二次転写位置へ搬送される。
【００４９】
用紙搬送方向において二次転写位置の上流側に、レジストローラ１３が配置されている。給紙カセット８１又は手差しトレイ８２から給紙された用紙は、レジストローラ１３が停止した状態で先端をレジストローラ１３に突き当てられる。レジストローラ１３の回転軸は、用紙の搬送方向に直交する方向に配置されている。用紙の先端が、停止した状態のレジストローラ１３に突き当てられることで、用紙が斜行している場合は斜行が補正される。
【００５０】
レジストローラ１３は、用紙の先端を、中間転写ベルト６１の表面に形成された現像剤像の先端と合わせるタイミングで回転を開始し、二次転写位置へ用紙を供給する。
【００５１】
給紙ユニット４００から給紙された用紙が二次転写位置を通過する際に、二次転写ローラ６６にトナーの帯電極性とは逆極性の高電圧が印加される。これによって、中間転写ベルト６１の外周面から用紙の表面に、現像剤像が転写される。
【００５２】
現像剤像が用紙に転写された後の中間転写ベルト６１上に残留した現像剤は、中間転写ベルト用クリーニング装置６５によって回収される。
【００５３】
現像剤像が転写された用紙は、定着装置７に導かれ、加熱ローラ７１と加圧ローラ７２との間を通過することで加熱及び加圧される。これによって、現像剤像が、用紙の表面に堅牢に定着する。現像剤像が定着した用紙は、排紙トレイ６７上へ排出される。
【００５４】
図２は、画像形成装置１０の一部の正面断面を示している。図２では、切断面の断面表記を省略している。
【００５５】
上述のように、第１走査ユニット２３、第２走査ユニット２４、及び偏向レンズ２５は、枠体２９内に配置されており、結像撮像ユニット２６は、支持部２００内に配置されている。
【００５６】
光源２３Ａから原稿９９へ照射された光は、第１ミラー２３Ｂによって副走査方向Ｘへ偏向されて第２走査ユニット２４へ至り、第２ミラー２４Ａによって副走査方向Ｘに直交する方向であって原稿台２１から離間する方向へ偏向され、さらに第３ミラー２４Ｂによって副走査方向Ｘに沿う方向であって第１走査ユニット２３側へ偏向されて、偏向レンズ２５へ至る。
【００５７】
第３ミラー２４Ｂから偏向レンズ２５へ至った光は、偏向レンズ２５によって偏向されて、結像レンズ２７へ至る。偏向レンズ２５から結像レンズ２へ至る光の光軸と、支持部２００の画像形成ユニット３００と枠体２９とを結ぶ方向即ち縦方向Ｙとは、平行である。
【００５８】
偏向レンズ２５から結像レンズ２７へ至る光の光軸と支持部２００の縦方向Ｙとが平行でなければ、偏向レンズ２５から結像レンズ２７へ至る光を遮断しないようにするために支持部２００の縦方向の寸法が大きいほど支持部２００の縦方向に直交する横方向の寸法を大きくする必要があるのに対して、平行であれば、支持部２００の横方向の寸法を小さくすることができる。また、結像レンズ２７及びＣＣＤ２８は、倍率調整や解像度調整のために、光軸に沿って移動自在にされるが、偏向レンズ２５から結像レンズ２７へ至る光の光軸と支持部２００の縦方向とが平行であれば、結像レンズ２７及びＣＣＤ２８を、支持部２００の縦方向Ｙに沿って移動自在にすればいいので、この意味でも支持部２００の横方向の寸法を小さくできる。
【００５９】
支持部２００は、フレーム２０１、及び外装カバー部材２０２を有している。結像撮像ユニット２６は、支持部２００のフレーム２０１に固定されている。フレーム２０１は、この実施形態では金属製であるが、樹脂製とすることもできる。フレーム２０１は、外装カバー部材２０２に覆われている。
【００６０】
支持部２００は、省スペース化及び耐久性向上の観点から、副走査方向Ｘと縦方向Ｙとが直交するように配置されることが好ましい。この実施形態では、結像撮像ユニット２６は、第２走査ユニット２４から偏向レンズ２５へ至る光の光軸と、偏向レンズ２５から結像レンズ２７へ至る光の光軸とが直交するように配置されている。
【００６１】
第２走査ユニット２４から偏向レンズ２５へ至る光の光軸は副走査方向Ｘに沿う方向であるので、第２走査ユニット２４から偏向レンズ２５へ至る光の光軸と偏向レンズ２５から結像レンズ２７へ至る光の光軸とが直交する場合、偏向レンズ２５から結像レンズ２７へ至る光の光軸と支持部２００の縦方向Ｙとが、平行になる。したがって、支持部２００の横方向の寸法を小さくすることができる。
【００６２】
図３に示すように、画像形成装置１０では、結像撮像ユニット２６が、枠体２９の外部に配置されているので、画像読取時に、枠体２９内で第１走査ユニット２３が結像撮像ユニット２６の上を移動することがない。このため、枠体２９の高さＨ１は、結像撮像ユニット２６の高さ分を必要としない。よって、枠体２９内に結像撮像ユニット２６が配置されて第１走査ユニット２３が結像撮像ユニット２６の上を移動する場合の枠体２９の高さＨ２に比べて、枠体２９の高さＨ１を小さくすることができる。したがって、第１走査ユニット２３及び第２走査ユニット２４を内蔵する枠体２９を、薄型化することができる。このため、画像形成装置１０を小型化することができる。
【００６３】
図４は、結像撮像ユニット２６の構成を示す。
【００６４】
結像撮像ユニット２６は、レンズプレート３１、レンズ調整プレート３２、ＣＣＤプレート３３、結像レンズ２７、及びＣＣＤ２８を備えている。ＣＣＤ２８は、ＣＣＤ素子部２８Ａ及びＣＣＤ基板２８Ｂを有している。
【００６５】
レンズプレート３１は、支持部２００のフレーム２０１への取り付け用に、複数の仮固定孔３１Ａ、及び複数の横長孔３１Ｂを有している。
【００６６】
仮固定孔３１Ａは、縦方向Ｙ及び主走査方向Ｚの両方向において、仮固定孔３１Ａに挿着されるべき図示しないネジの外径より、大きい寸法に形成されている。仮固定孔３１Ａにネジが緩く挿着されることで、レンズプレート３１がフレーム２０１に、落下はしないが移動可能な程度の固定、即ち所謂仮固定が行われる。仮固定孔３１Ａを用いてフレーム２０１にレンズプレート３１が仮固定された段階では、フレーム２０１に対するレンズプレート３１の取り付け位置を、縦方向Ｙ及び主走査方向Ｚの両方向において、所定範囲内で調整することができる。
【００６７】
横長孔３１Ｂは、主走査方向Ｚにおいて、横長孔３１Ｂに挿着されるべき図示しないネジの外径より、大きい寸法に形成されている。横長孔３１Ｂにネジが緩く挿着された段階では、レンズプレート３１は、フレーム２０１に対して、縦方向Ｙの移動を規制される一方、主走査方向Ｚにおける所定範囲内の調整が可能である。
【００６８】
レンズ調整プレート３２は、レンズプレート３１に取り付けられる。レンズ調整プレート３２は、複数の縦方向Ｙの長孔３２Ａを有している。レンズ調整プレート３２は、長孔３２Ａを用いてレンズプレート３１に取り付けられることで、レンズプレート３１に対する取り付け位置を、縦方向Ｙに調整可能にされている。また、レンズ調整プレート３２は、レンズプレート３１に対して離間する方向に図示しないバネによって付勢されるとともに、押え板３２Ｂを挟んでネジ３２Ｃによってレンズプレート３１に取り付けられている。ネジ３２Ｃの締め付け度合を調整することで、レンズ調整プレート３２の副走査方向Ｘの位置が調整可能である。
【００６９】
レンズ調整プレート３２には、縦方向Ｙの光軸の光を結像できる方向に、結像レンズ２７が固定される。
【００７０】
ＣＣＤプレート３３は、主走査方向Ｚに直交する方向の断面がＬ字型になるように形成されている。ＣＣＤプレート３３は、複数の縦方向Ｙの長孔３３Ａを有している。ＣＣＤプレート３３は、長孔３３Ａを用いてレンズ調整プレート３２に取り付けられることで、レンズ調整プレート３２に対する取り付け位置を、縦方向Ｙに調整可能にされている。
【００７１】
ＣＣＤプレート３３は、ＣＣＤ取付用孔３３Ｂを有している。ＣＣＤ取付用孔３３Ｂは、ＣＣＤ素子部２８Ａより大きく、ＣＣＤ基板２８Ｂより小さい。ＣＣＤプレート３３は、ＣＣＤ取付用孔３３Ｂを挟む位置に、ＣＣＤ基板２８Ｂを取り付けるための、ＣＣＤ基板取付用孔３３Ｃを有している。ＣＣＤプレート３３は、結像レンズ２７を通った光をＣＣＤ２８が受光するように配置される。
【００７２】
結像撮像ユニット２６は、画像読取装置１００の光学性能を高く維持するために、倍率調整、解像度調整、主走査方向の光軸調整、副走査方向の光軸調整、及び主走査方向におけるセンター調整といった調整処理をできるように形成されている。
【００７３】
調整処理には、単体調整と総合調整とがあり、単体調整を行った後に、総合調整が行われる。単体調整及び総合調整のそれぞれにおいて、倍率調整、解像度調整、主走査方向の光軸調整、副走査方向の光軸調整、及び主走査方向におけるセンター調整が行われる。単体調整には単体調整治具が用いられ、総合調整には単体調整治具とは異なる総合調整治具が用いられる。
【００７４】
まず、単体調整について説明する。倍率調整では、レンズプレート３１に対してレンズ調整プレート３２を縦方向Ｙに移動させることで、倍率が１００％になるように調整する。
【００７５】
解像度調整は、倍率調整の後に行われる。解像度調整では、ＣＣＤ２８が取り付けられたＣＣＤプレート３３を、レンズ調整プレート３２に対して縦方向Ｙに移動させることで、目的とする所定の解像度が得られるように微調整する。
【００７６】
副走査方向の光軸調整では、ネジ３２Ｃの締め付け度合を調整することで、レンズプレート３１に対するレンズ調整プレート３２の副走査方向Ｘの位置を調整する。これによって、結像レンズ２７及びＣＣＤ２８の副走査方向Ｘの位置が調整される。
【００７７】
主走査方向の光軸調整では、ＣＣＤプレート３３に対してＣＣＤ基板２８Ｂを傾けることで、ＣＣＤ素子部２８Ａが光軸に対して直交するように調整する。
【００７８】
主走査方向におけるセンター位置調整では、ＣＣＤ基板２８ＢをＣＣＤプレート３３に対して主走査方向Ｚに移動させることで、ＣＣＤ素子部２８Ａの有効画素のセンターと原稿台２１に載置される原稿のセンターとが合うように、調整する。
【００７９】
上述のようにして単体調整が完了すると、次に総合調整するために、図５に示すように、結像撮像ユニット２６が支持部２００のフレーム２０１に、一旦仮固定される。
【００８０】
図５は、画像形成装置１０の一部の側面の構成を示しているが、図の理解の容易を図るために、開閉部材４１を斜視的に示している。
【００８１】
総合調整を行うことによって、支持部２００の傾きによる光軸等のズレが調整される。
【００８２】
総合調整における倍率調整では、結像撮像ユニット２６を縦方向Ｙに移動させ、１００％の倍率が得られるように調整する。倍率調整の後に、レンズプレート３１の横長孔３１Ｂにネジを緩く挿着することで、フレーム２０１に対する結像撮像ユニット２６の、主走査方向Ｚの調整を可能としたまま、縦方向Ｙの移動を規制する。
【００８３】
解像度調整では、単体調整時と同様に、ＣＣＤ２８が取り付けられたＣＣＤプレート３３を、レンズ調整プレート３２に対して縦方向Ｙに移動させることで、目的とする所定の解像度が得られるように微調整する。
【００８４】
主走査方向の光軸調整、及び副走査方向の光軸調整についても、単体調整時と同様に行う。
【００８５】
主走査方向におけるセンター調整では、フレーム２０１に対して結像撮像ユニット２６を主走査方向Ｚに移動させることで、ＣＣＤ素子部２８Ａの有効画素のセンターと原稿台２１に載置される原稿のセンターとが合うように調整する。
【００８６】
支持部２００は、開閉部材４１を備えている。開閉部材４１は、結像撮像ユニット２６を外部に露出させる開放位置と、結像撮像ユニット２６を外部に露出させない閉鎖位置と、に変位自在に、外装カバー部材２０２に軸支されている。
【００８７】
開閉部材４１を開放位置に配置することで、結像撮像ユニット２６を外部に露出させることができ、結像撮像ユニット２６の調整処理や交換を容易に行うことができる。また、開閉部材４１を閉鎖位置に配置することで、結像撮像ユニット２６への余計な光の入射及び塵埃の付着を抑制することができる。
【００８８】
この実施形態では、開閉部材４１は、排出口１４の反対側の支持部２００の側面、即ち排紙トレイ６７の反対側の側面に設けられている。このため、開閉部材４１を開放位置に配置した際に、結像撮像ユニット２６の調整処理や交換をより容易に行うことができる。
【００８９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００９０】
【図１】この発明の実施形態に係る画像形成装置の正面断面図である。
【図２】画像形成装置の一部の正面断面図である。
【図３】画像形成装置の一部の正面断面図である。
【図４】結像撮像ユニットの斜視図である。
【図５】画像形成装置の一部の側面図である。
【符号の説明】
【００９１】
１０  画像形成装置
１４  排出口
２１  原稿台
２３  第１走査ユニット
２４  第２走査ユニット
２５  偏向レンズ（偏向部材）
２６  結像撮像ユニット
２７  結像レンズ（結像部材）
２８  ＣＣＤ（撮像部材）
２９  枠体
９９  原稿
４１  開閉部材
６７  排紙トレイ
１００  画像読取装置
２００  支持部
２０１  フレーム
２０２  外装カバー部材
３００  画像形成ユニット
４００  給紙ユニット
５００  制御部
Ｘ  副走査方向
Ｙ  縦方向
Ｚ  主走査方向
【図１】
2010068360.tif 000003
【図２】
2010068360.tif 000004
【図３】
2010068360.tif 000005
【図４】
2010068360.tif 000006
【図５】
2010068360.tif 000007